(57)【要約】【課題】打込み作業時における騒音や振動を抑えることができる打込み治具および打込み用具を提供する。【解決手段】打込み用具１００は、打込み治具２００と打込みガイド３００とを備えている。打込み治具２００は、Ｕ字留め具９０における架設棒部９２に突き当てられるワーク突き当て部２１０が形成されているとともに、このワーク突き当て部２１０の上方にハンマー４０２が摺動するハンマー嵌合部２２０が形成されている。また、打込み治具２００には、ハンマー嵌合部２２０の外側にワーク突き当て部２１０の長手方向に沿ってワーク突き当て部２１０の幅の半分の長さよりもの長い長さの延長壁部２２４が形成されている。打込みガイド３００は、互いに平行な２つのガイド体３０１を備えるとともに、これら２つのガイド体３０１の各対向面に打込み治具２００に形成された従側案内嵌合部２３０に嵌合する主側案内嵌合部３０２がそれぞれ形成されている。【選択図】  図１
2015021350.tif 000002
【特許請求の範囲】
【請求項１】
棒状に延びる２つの挿込み棒部における各一方の端部同士が棒状に延びる１つの架設棒部を介して繋がった略Ｕ字状のＵ字留め具を設置対象個所に打込む際に使用する打込み治具であって、
前記架設棒部に対して同架設棒部の長手方向に沿って突き当てられるワーク突き当て突当部と、
前記ワーク突き当て部に打撃力を加えるための柱状のハンマーが摺動自在に嵌合するハンマー嵌合部と、
前記ハンマー嵌合部の外側に前記ワーク突き当て部の長手方向に沿って少なくとも前記ワーク突き当て部の幅の半分の長さよりも長い長さで延びて形成された延長壁部とを備えることを特徴とする打込み治具。
【請求項２】
請求項１に記載した打込み治具において、
前記延長壁部は、
前記ハンマー嵌合部の先端部から前記ワーク突き当て部までの間の領域に連続的に形成されていることを特徴とする打込み治具。
【請求項３】
請求項１または請求項２に記載した打込み治具において、
前記延長壁部は、
前記ハンマー嵌合部の先端部側から前記ワーク突き当て部側に向かって広がって形成されていることを特徴とする打込み治具。
【請求項４】
請求項１ないし請求項３のうちのいずれか１つに記載した打込み治具において、
前記延長壁部は、
前記ハンマー嵌合部内で前記ハンマーの打撃を受けるハンマー受け部の外側に形成されていることを特徴とする打込み治具。
【請求項５】
請求項１ないし請求項４のうちのいずれか１つに記載した打込み治具において、
前記ワーク突き当て部の両端部に同ワーク突き当て部の長手方向にそれぞれ凸状に張り出した状態または凹状に凹んだ状態で従側案内嵌合部が形成されていることを特徴とする打込み治具。
【請求項６】
請求項１ないし請求項５のうちのいずれか１つに記載した打込み治具において、
前記ワーク突き当て部、前記ハンマー嵌合部および前記延長壁部は、炭素鋼材で構成されていることを特徴とする打込み治具。
【請求項７】
棒状に延びる２つの挿込み棒部における各一方の端部同士が棒状に延びる１つの架設棒部を介して繋がった略Ｕ字状のＵ字留め具を設置対象個所に打込む際に使用する打込み用具であって、
前記Ｕ字留め具における前記架設棒部を打撃するための打込み治具と、
前記打込み治具を案内する打込みガイドとを備え、
前記打込み治具は、
前記架設棒部に対して同架設棒部の長手方向に沿って突き当てられるワーク突き当て突当部と、
前記ワーク突き当て部に打撃力を加えるための柱状のハンマーが摺動自在に嵌合するハンマー嵌合部と、
前記ハンマー嵌合部の外側に前記ワーク突き当て部の長手方向に沿って少なくとも前記ワーク突き当て部の幅の半分の長さよりも長い長さで延びて形成された延長壁部と、
前記ワーク突き当て部の両端部に同ワーク突き当て部の長手方向にそれぞれ凸状に張り出した状態または凹状に凹んだ状態で従側案内嵌合部とを有し、
前記打込みガイドは、
前記各従側案内嵌合部に摺動自在に嵌合して前記打込み治具を前記Ｕ字留め具の打ち込み方向に沿って案内する主側案内嵌合部を有することを特徴とする打込み用具。
【発明の詳細な説明】
【技術分野】
【０００１】
本発明は、略Ｕ字状に形成されて留め具として機能するＵ字棒体を設置対象物に打込むための打込み治具および打込み用具に関する。
【背景技術】
【０００２】
従来から、略Ｕ字状に形成されて土中などの設置対象個所に打込まれることにより留め具として機能とするＵ字留め具がある。例えば、下記特許文献１には、道床を構成するバラスト（砕石）を詰めたバラスト袋を固定するＵ字留め具およびこのＵ字留め具をバラスト袋に打込む際に使用する打込み治具が開示されている。
【先行技術文献】
【特許文献】
【０００３】
【特許文献１】特開２０１０−３７８１９号公報
【０００４】
しかしながら、上記特許文献１に記載した打込み治具においては、Ｕ字留め具をバラスト袋に打ち込む際にＵ字留め具を打撃する音が大きくＵ字留め具の打込み作業時における騒音や振動が大きいという問題があった。
【発明の概要】
【０００５】
本発明は上記問題に対処するためなされたもので、その目的は、打込み作業時における騒音や振動を抑えることができる打込み治具および打込み用具を提供することにある。
【０００６】
上記目的を達成するため、本発明の特徴は、棒状に延びる２つの挿込み棒部における各一方の端部同士が棒状に延びる１つの架設棒部を介して繋がった略Ｕ字状のＵ字留め具を設置対象個所に打込む際に使用する打込み治具であって、架設棒部に対して同架設棒部の長手方向に沿って突き当てられるワーク突き当て突当部と、ワーク突き当て部に打撃力を加えるための柱状のハンマーが摺動自在に嵌合するハンマー嵌合部と、ハンマー嵌合部の外側にワーク突き当て部の長手方向に沿って少なくともワーク突き当て部の幅の半分の長さよりも長い長さで延びて形成された延長壁部とを備えることにある。
【０００７】
このように構成した本発明の特徴によれば、打込み治具は、Ｕ字留め具に打撃を加える柱状のハンマーが摺動自在に嵌合するハンマー嵌合部の外側に延長壁部がワーク突き当て部の長手方向に沿って同ワーク突き当て部の幅よりも長い長さで張り出して形成されている。これにより、打込み治具は、ハンマーによって打撃される部分の近傍の一部に設けられた延長壁部がハンマーの打撃による衝撃の一部を吸収するため、Ｕ字留め具の打込み作業時における騒音や振動を抑えることができる。
【０００８】
また、本発明の他の特徴は、前記打込み治具において、延長壁部は、ハンマー嵌合部の先端部からワーク突き当て部までの間の領域に連続的に形成されていることにある。
【０００９】
このように構成した本発明の他の特徴によれば、打込み治具は、延長壁部がハンマー嵌合部の先端部からワーク突き当て部までの間の領域に連続的に形成されているため、ハンマーの打撃音や振動を効果的に抑えることができる。
【００１０】
また、本発明の他の特徴は、前記打込み治具において、延長壁部は、ハンマー嵌合部の先端部側からワーク突き当て部側に向かって広がって形成されていることにある。
【００１１】
このように構成した本発明の他の特徴によれば、打込み治具は、延長壁部がハンマー嵌合部の先端部側からワーク突き当て部側に向かって広がって形成されているため、打ち込み時の打撃音や振動を抑えながら打込み治具自体の重量を軽量化することができる。
【００１２】
また、本発明の他の特徴は、前記打込み治具において、延長壁部は、ハンマー嵌合部内でハンマーの打撃を受けるハンマー受け部の外側に形成されていることにある。
【００１３】
このように構成した本発明の他の特徴によれば、打込み治具は、延長壁部がハンマー嵌合部内でハンマーの打撃を受けるハンマー受け部の外側に形成されているため、ハンマーの打撃音や振動を効果的に抑えることができる。
【００１４】
また、本発明の他の特徴は、前記打込み治具において、ワーク突き当て部の両端部に同ワーク突き当て部の長手方向にそれぞれ凸状に張り出した状態または凹状に凹んだ状態で従側案内嵌合部が形成されていることにある。
【００１５】
このように構成した本発明の他の特徴によれば、打込み治具は、ワーク突き当て部の両端部に同ワーク突き当て部の長手方向にそれぞれ凸状に張り出した状態または凹状に凹んだ状態で従側案内嵌合部が形成されているため、これらの従側案内嵌合部に嵌合する主側嵌合部を有する打込みガイドを用意することによってＵ字留め具を精度よく設置対象個所内に打ち込むことができる。
【００１６】
また、本発明の他の特徴は、前記打込み治具において、前記打込み治具において、ワーク突き当て部、ハンマー嵌合部および延長壁部は、炭素鋼材で構成されていることにある。
【００１７】
このように構成した本発明の他の特徴によれば、打込み治具は、ワーク突き当て部、ハンマー嵌合部および延長壁部が炭素鋼材で構成されているため、本発明者の実験によればこれらを炭素鋼以外の材料、具体的には、ワーク突き当て部、ハンマー嵌合部および延長壁部を鋳鉄で構成した場合に比べてＵ字留め具の打込み作業時における騒音および振動を抑えることができることを確認した。
【００１８】
また、本発明は、打込み治具の発明として実施できるばかりでなく、この打込み治具を備えた打込み用具としても実施できるものである。
【００１９】
具体的には、棒状に延びる２つの挿込み棒部における各一方の端部同士が棒状に延びる１つの架設棒部を介して繋がった略Ｕ字状のＵ字留め具を設置対象個所に打込む際に使用する打込み用具であって、Ｕ字留め具における架設棒部を打撃するための打込み治具と、打込み治具を案内する打込みガイドとを備え、込み治具は、架設棒部に対して同架設棒部の長手方向に沿って突き当てられるワーク突き当て突当部と、ワーク突き当て部に打撃力を加えるための柱状のハンマーが摺動自在に嵌合するハンマー嵌合部と、ハンマー嵌合部の外側にワーク突き当て部の長手方向に沿って少なくともワーク突き当て部の幅の半分の長さよりも長い長さで延びて形成された延長壁部と、ワーク突き当て部の両端部に同ワーク突き当て部の長手方向にそれぞれ凸状に張り出した状態または凹状に凹んだ状態で従側案内嵌合部とを有し、打込みガイドは、各従側案内嵌合部に摺動自在に嵌合して打込み治具をＵ字留め具の打ち込み方向に沿って案内する主側案内嵌合部を有するようにすればよい。
【図面の簡単な説明】
【００２０】
【図１】（Ａ）〜（Ｃ）は、本発明の一実施形態に係る打込み用具の外観構成の概略を使用状態で示しており、（Ａ）は打込み用具の平面図であり、（Ｂ）は打込み用具の一部破断正面図であり、（Ｃ）は打込み用具の側面図である。
【図２】図１に示す打込み用具によって設置対象個所に打ち込まれるＵ字留め具の外観構成の概略を示す正面図である。
【図３】（Ａ）〜（Ｄ）は、図１に示す打込み用治具の外観構成の概略を示しており、（Ａ）は打込み治具の平面図であり、（Ｂ）は（Ａ）に示すＡ−Ａ線から見た打込み治具の一部破断正面図であり、（Ｃ）は打込み治具の側面図であり、（Ｄ）は打込み用治具の底面図である。
【発明を実施するための形態】
【００２１】
以下、本発明に係る寝具としての打込み治具および打込み用具の一実施形態について図面を参照しながら説明する。図１（Ａ）〜（Ｄ）は、本発明に係る打込み用具１００の外観構成の概略を使用状態で示しており、（Ａ）は打込み用具１００の平面図であり、（Ｂ）は打込み用具１００の一部破断正面図であり、（Ｃ）は打込み用具１００の側面図である。なお、本明細書において参照する図は、本発明の理解を容易にするために一部の構成要素を誇張して表わすなど模式的に表している。このため、各構成要素間の寸法や比率などは異なっていることがある。この打込み用具１００は、Ｕ字留め具９０を設置対象個所Ｇに打ち込むための器具である。
【００２２】
まず、打込み用具１００を説明する前にこの打込み用具１００を用いて設置対象個所Ｇ内に打ち込まれるＵ字留め具９０について説明しておく。このＵ字留め具９０は、設置対象個所Ｇ、具体的には、例えば、道床を構成する複数のバラスト間に打ち込まれて道床の崩壊を防ぐための金具であり、詳しくは図２に示すように、主として、２つの挿込み棒部９１と１つの架設棒部９２によって構成されている。なお、バラスト袋とは、複数の砕石を網目状の袋に詰めたものであり、鉄道用レールを施設する道床を構築するものである。
【００２３】
これらのうち２つの挿込み棒部９１は、２つの棒体が互いに平行に延びて形成されており、各一方（図示下側）の端部が尖って形成されるとともに各他方（図示上側）の端部が架設棒部９２によって繋がって形成されている。架設棒部９２は、２つの挿込み棒部９１における各他方（図示上側）の端部同士を互いに繋いでこれらを一体的に構成する部分であり、図示水平方向に延びる棒体によって構成されている。
【００２４】
このＵ字留め具９０は、直線状に延びる鉄筋の両端部側をそれぞれ同じ方向に直角に折り曲げることにより略Ｕ字状に形成される。本実施形態においては、Ｕ字留め具９０は、異形鉄筋を長さが１１００ｍｍ、幅が１５０ｍｍのＵ字状に成形して構成されている。なお、図２においては、Ｕ字留め具９０の表面における異形形状を省略して示している。
【００２５】
（打込み用具１００の構成）
この打込み用具１００は、主として、打込み治具２００と打込みガイド３００とで構成されている。打込み治具１００は、Ｕ字留め具９０を打込む際にＵ字留め具９０の架設棒部９２に当てがわれて打撃力を伝達する器具であり、詳しくは図１（Ａ）〜（Ｃ）にそれぞれ示すように、ワーク突き当て部２１０を備えている。ワーク突き当て部２１０は、Ｕ字留め具９０における架設棒部９２に嵌められて同架設棒部９２に図示上方から突き当てられる部分であり、架設棒部９２が着脱自在に嵌合する幅および深さで図示下方に向かって開口する断面形状が略Ｕ字状に形成されている。この場合、ワーク突き当て部２１０は、架設棒部９２の長さと略同じ長さ（本実施形態においては、若干短い長さ）に形成されるとともに、図示左右の端部が図示左右方向に対して開口して形成されている。このワーク突き当て部２１０の図示上部には、ハンマー嵌合部２２０が形成されている。
【００２６】
ハンマー嵌合部２２０は、Ｕ字留め具９０に打撃を加える電動ハンマー４００におけるハンマー４０２が着脱自在に接続される部分であり、ワーク突き当て部２１０に対して図示上方に向かって延びる円筒状に形成されている。このハンマー嵌合部２２０は、電動ハンマー４００におけるハンマー４０２が着脱自在かつ摺動自在に嵌合する摺動部２２１と、この摺動部２２１より小径の貫通部２２２とで構成されており、これら摺動部２２１と貫通部２２２との間の段部がハンマー受け部２２３として構成されている。ハンマー受け部２２３は、ハンマー４０２による打撃を受ける部分であり、ハンマー嵌合部２２０内においてリング状に形成されている。このハンマー受け部２２３は、後述する延長壁部２２４が形成された図示上下方向の範囲内、換言すれば延長壁部２２４の内側の領域内に形成される。
【００２７】
ハンマー嵌合部２２０の外周部は、平面視において略平行四辺形（本実施形態においては、ひし形（斜方形））に形成されている。より具体的には、ハンマー嵌合部２２０の外周部は、ワーク突き当て部２１０の長手方向に直交する方向の長さ、すなわち、ハンマー嵌合部２２０の外周部の幅が最も厚い部分でワーク突き当て部２１０の幅（長手方向に直交する方向の長さ）と同じ長さに形成されている。一方、ハンマー嵌合部２２０の外周部におけるワーク突き当て部２１０の長手方向は、後述する従側案内嵌合部２３０まで延びて形成されており延長壁部２２４を構成している。
【００２８】
延長壁部２２４は、主として、ハンマー４０２の打撃音を緩和するための中実の部分であり、ハンマー嵌合部２２０からワーク突き当て部２１０の長手方向外側に向かってワーク突き当て部２１０の幅（長手方向に直交する長さ）の半分の長さよりも長い長さの壁状に形成されている。この場合、延長壁部２２４は、ハンマー嵌合部２２０における先端部、すなわち、ハンマー嵌合部２２０が開口する打込み治具２００の図示上端面から従側案内嵌合部側２３０（図示下方に）に向かって広がって形成されている。
【００２９】
換言すれば、延長壁部２２４は、ハンマー嵌合部２２０における先端部から図示水平方向に延びた後、長手方向外側に向かって高さが低くなるように形成されている。また、この延長壁部２２４は、ハンマー嵌合部２２０側からワーク突き当て部２１０の長手方向外側（本実施形態においては従側案内嵌合部２３０）に向かって厚さが薄くなるように形成されている。
【００３０】
ワーク突き当て部２１０における長手方向両端部には、従側案内嵌合部２３０がそれぞれ形成されている。従側案内嵌合部２３０は、Ｕ字留め具９０を設置対象個所Ｇに打ち込む際に打込み治具２００を打込み方向に案内するための部分であり、ワーク突き当て部２１０の両端部からそれぞれ長手方向外側に向かって凸状に突出して形成されている。この場合、各従側案内嵌合部２３０は、後述する主側案内嵌合部３０２に対して着脱自在かつ摺動自在に嵌合する四角棒状に形成されている。
【００３１】
この打込み治具２００は、鋼材に対してフライス加工などの機械加工を行うことによってワーク突き当て部２１０、ハンマー嵌合部２２０および従側案内嵌合部２３０を一体的に成形して製作される。本実施形態においては、打込み治具２００は、炭素鋼（例えば、Ｓ５０Ｃ）によって構成されている。この場合、打込み治具２００は、ハンマー嵌合部２２０にのみ焼入れ処理などの熱処理を行って表面硬度を上昇させておくとよい。
【００３２】
打込みガイド３００は、図１（Ａ）〜（Ｃ）に示すように、打込み治具２００を設置対象個所Ｇに向かって案内するための器具であり、２つのガイド体３０１を備えている。ガイド体３０１は、打込み治具２００における２つの従側案内嵌合部２３０がそれぞれ着脱自在かつ摺動自在に嵌合されて案内する部分であり、図示上下方向に沿って互いに平行に延びる柱状に形成されている。これら２つのガイド体３０１における互いの対向面には、各従側案内嵌合部２３０が摺動自在に嵌合する凹状に凹んだ主側案内嵌合部３０２がそれぞれ形成されている。
【００３３】
そして、これらの２つのガイド体３０１は、連結部３０３によって互いに連結されている。連結部３０３は、２つのガイド体３０１の平行状態を維持した状態で互いに連結する部分であり、２つのガイド体３０１における図示下端部側および図示上端部側にそれぞれ形成されている。この場合、図示下端部側に設けられた連結部３０３は、打込みガイド３００の前方側に張り出して設けられている。また、ガイド体３０１における図示上端部側に設けられた連結部３０３は、打込みガイド３００の後方側に張り出して設けられている。
【００３４】
これらの連結部３０３は、棒部３０３ａと筒部３０３ｂとでそれぞれ構成されている。棒部３０３ａは、２つのガイド体３０１のうちの一方からから張り出した後、他方のガイド体３０１側に屈曲して延びる棒体である。また、筒部３０３ｂは、棒体３０３ａが設けられたガイド体３０１とは異なる前記他方のガイド体３０１から張り出して棒体３０３ａが貫通する筒体を備えて構成されている。この場合、筒部３０３ｂは、セットボルト３０３ｃを備えており、貫通する棒部３０３ａの固定位置を調整することができる。すなわち、２つのガイド体３０１は、互いの間隔が調節可能に連結されている。
【００３５】
また、２つのガイド体３０１には、前記後方側に向かって張り出す連結部３０３の図示下方にハンドル３０４がそれぞれ設けられている。ハンドル３０４は、打込みガイド３００の移動や位置決め、およびＵ字留め具９０の打ち込み作業時に打込みガイド３００の位置ずれや傾倒を防止するために作業者が把持する部分であり、各ガイド体３０１から張り出した後、図示上側に屈曲して延びて形成されている。この打込みガイド３００は、アングル状、棒状および板状の鋼材をそれぞれ互いに溶接加工することによって製作される。
【００３６】
（打込み用具１００の作動）
次に、上記のように構成した打込み用具１００の作動について説明する。まず、Ｕ字留め具９０の設置作業を行う作業者は、Ｕ字留め具９０の他に、打込み治具２００と打込みガイド３００とからなる打込み用具１００、および電動ハンマー４００をそれぞれ用意する。この場合、電動ハンマー４００は、Ｕ字留め具９０を打撃するための公知の機器であり、主として本体部４０１とハンマー４０２とを備えて構成されている。本体部４０１は、ハンマー４０２を駆動する電動機、電動機を制御する制御回路、電源回路、操作スイッチおよびハンドルなどを備えて構成されている。また、ハンマー４０２は、本体部４０１が備える電動機の駆動によって図示上下方向に往復動する鋼製の円柱体である。なお、図１（Ａ）においては、電動ハンマー４００における本体部４０１を省略するとともにハンマー４０２を破断した状態で示している。
【００３７】
次に、作業者は、設置対象箇所Ｇ上に打込みガイド３００を配置した後、Ｕ字留め具９０を２つのガイド体３０１に図示上端部からそれぞれ挿入して設置対象箇所Ｇ上に配置する。次に、作業者は、打込み治具２００における２つの従側案内嵌合部２３０を２つのガイド体３０１に図示上端部からそれぞれ挿入してＵ字留め具９０上に位置させる。これにより、打込み治具２００は、ワーク突き当て部２１０内にＵ字留め具９０の架設棒部９２が嵌合して突き当てられる。なお、作業者は、Ｕ字留め具９０および打込み治具２００に対して２つのガイド体３０１の間隔が不適当であると判断した場合には、セットボルト３０３ｃを弛めることにより２つのガイド体３０１間の間隔を適宜調整することができる。
【００３８】
次に、作業者は、打込み治具２００におけるハンマー嵌合部２２０内に電動ハンマー４００におけるハンマー４０２の先端部を挿入してハンマー４０２と打込み治具２００のハンマー嵌合部２２０とを接続する。そして、作業者は、Ｕ字留め具９０の打込み作業を開始する。具体的には、作業者は、電動ハンマー４００を図示しない電源に接続した後、電動ハンマー４００の電源をＯＮにすることにより作動を開始させる。
【００３９】
これにより、打込み治具２００は、ハンマー嵌合部２２０内のハンマー受け部２２３が電動ハンマー４００のハンマー４０２によって打撃されることによってＵ字留め具９０の架設棒部９２を打撃する。この場合、打込み治具２００は、ハンマー嵌合部２２０の外側に長手方向に沿って延長壁部２２４が形成されているため、打撃による衝撃の一部を吸収して緩和しながらＵ字留め具９０を打ち込むことができる。また、打込み治具２００は、延長壁部２２４によって打込み治具２００の剛性が高められているため、ハンマー４０２の打撃による損傷および劣化が抑えられて耐久性が向上する。
【００４０】
このＵ字留め具９０の打込み作業においては、Ｕ字留め具９０が設置対象箇所Ｇ内に打込まれるごとに打込み治具２００における従側案内嵌合部２３０が打込みガイド３００における主側案内嵌合部３０２内を摺動して図示下方に下降していく（図示破線矢印参照）。そして、設置対象箇所Ｇ内にＵ字留め具９０が打ち込まれた場合には、作業者は、打込み治具２００におけるハンマー嵌合部２２０内からハンマー４０２の先端部を引抜いてハンマー４０２を取り外す。次いで、作業者は、打込み治具２００の従側案内嵌合部２３０を主側案内嵌合部３０２から抜きながら打込みガイド３００を設置対象箇所Ｇから撤去した後、設置対象箇所Ｇに打込まれたＵ字留め具９０の架設棒部９２上から打込み治具２００を撤去する。これにより、作業者は、Ｕ字留め具９０の打込み作業を終了することができる。
【００４１】
上記作動説明からも理解できるように、上記実施形態によれば、打込み治具２００は、Ｕ字留め具９０に打撃を加える柱状のハンマー４０２が摺動自在に嵌合するハンマー嵌合部２２０に延長壁部２２４がワーク突き当て部２１０の長手方向に沿って同ワーク突き当て部２１０の幅よりも長い長さで張り出して形成されている。これにより、打込み治具２００は、ハンマー４０２によって打撃される部分の周囲の一部に設けられた延長壁部２２４がハンマー４０２の打撃による衝撃の一部を吸収するため、Ｕ字留め具９０の打込み作業時における騒音や振動を抑えることができる。
【００４２】
さらに、本発明の実施にあたっては、上記実施形態に限定されるものではなく、本発明の目的を逸脱しない限りにおいて種々の変更が可能である。
【００４３】
例えば、上記実施形態においては、打込み治具２００は、Ｓ５０Ｃの炭素鋼で構成した。しかし、打込み治具２００は、電動ハンマー４００の打撃に耐えてＵ字留め具９０を打ち込むことができる材料で構成されていれば、上記実施形態に限定されるものではない。したがって、打込み治具２００は、Ｓ５０Ｃ以外の炭素鋼（例えば、ＳＫ材、ＳＫＳ材、ＳＫＤ材）などを用いることができるほか、炭素鋼以外の金属材料、例えば、炭素が含まれていない所謂生材（ＳＳ材）や鋳鉄などを用いて構成することができる。この場合、本発明者の実験によれば、打込み治具２００は、炭素鋼で構成することによって他の金属材料、具体的には、鋳鉄で構成する場合に比べてＵ字留め具９０の打込み作業時における騒音および振動を抑えることができることを確認した。
【００４４】
また、上記実施形態においては、打込み治具２００は、延長壁部２２４がハンマー嵌合部２２０の先端部（打込み治具２００の図示上面）からワーク突き当て部２２０までの間の領域に連続的に形成した。この場合、ワーク突き当て部２２０までの間とは、ワーク突き当て部２２０におけるＵ字留め具９０が突き当てられる部分を構成する部分までの間、または同突き当てられる部分がハンマー４０２の打撃に耐えることができる肉厚を介した上面上までの間をいう。これにより、延長壁部２２４は、Ｕ字留め具９０の打込み作業時における騒音および振動をより効果的に抑えることができるとともに打込み治具２００の耐久性をより効果的に向上させることができる。しかし、延長壁部２２４は、ハンマー受け部２２３の少なくとも近傍に形成されていればよいため、必ずしもハンマー嵌合部２２０の先端部の高さまで形成する必要はない。
【００４５】
また、上記実施形態においては、打込み治具２００は、延長壁部２２４がハンマー嵌合部２２０の先端部側からワーク突き当て部２１０側に向かって広がって形成されている。これにより、延長壁部２２４は、Ｕ字留め具９０の打ち込み時における打撃音や振動を抑えながら打込み治具２００自体の重量を軽量化することができる。しかし、延長壁部２２４は、ハンマー受け部２２３の近傍に形成されていればよいため、例えば、ハンマー嵌合部２２０の先端部側から同じ高さでワーク突き当て部２１０の各端部または従側案内嵌合部２３０の各端部まで延びて形成することもできる。これによれば、延長壁部２２４は、Ｕ字留め具９０の打ち込み時における打撃音や振動をより効果的に抑えることができる。
【００４６】
また、上記実施形態においては、打込み治具２００は、延長壁部２２４がハンマー嵌合部２２０内におけるハンマー受け部２２３の外側に形成した。これにより、打込み治具２００は、ハンマー４０２の打撃音や振動を効果的に抑えることができる。しかし、延長壁部２２４は、ハンマー受け部２２３の近傍に形成されていればよく、ハンマー受け部２２３に対して図示上方または図示下方に形成されていてもよい。
【００４７】
また、上記実施形態においては、打込み治具２００は、ワーク突き当て部２１０の両端部に同ワーク突き当て部２１０の長手方向にそれぞれ凸状に張り出した状態で従側案内嵌合部２３０が形成した。しかし、この従側案内嵌合部２３０は、ガイド体３０１に嵌合して案内されるように構成されていれば、必ずしも上記実施形態に限定されるものではない。したがって、従側案内嵌合部２３０は、ワーク突き当て部２１０の両端部に同ワーク突き当て部２１０の長手方向にそれぞれ凹状に凹んだ状態で形成することもできる（図示せず）。この場合、この場合、２つのガイド体３０１における互いの対向面には、各従側案内嵌合部２３０が摺動自在に嵌合する凸状に張り出した主側案内嵌合部３０２がそれぞれ形成される。
【００４８】
また、上記実施形態においては、打込み治具２００は、ワーク突き当て部２１０の長手方向（図示左右方向）両端部を解放して形成した。これにより、打込み治具２００をＵ字留め具９０の架設棒部９２に嵌める際の位置決めが容易となるとともに、幅広い大きさのＵ字留め具９０に１つの打込み治具２００を流用することができる。しかし、打込み治具２００は、ワーク突き当て部２１０の長手方向（図示左右方向）両端部を閉塞して構成することもできることは当然である。
【００４９】
また、上記実施形態においては、打込み用具１００は、鉄道の道床を構成するバラスト袋にＵ字留め具９０を打ち込んだ。しかし、打込み用具１００は、Ｕ字留め具９０を打ち込む際に使用されるものであって、打ち込む対象はバラスト袋以外であってもよいことは当然である。すなわち、打込み用具１００は、例えば、地中に埋設した管を固定するためのＵ字留め具９０を打ち込む際に使用することもできる。また、この打込み用具１００を構成する打込み治具２００は、打込みガイド３００や電動ハンマー４００を使用せず、直接Ｕ字留め具９０上に配置することともにハンマー嵌合部２２０内に棒体を挿し込んで、この棒体を手作業で打撃してＵ字留め具９０を打ち込むようにすることもできる。
【符号の説明】
【００５０】
Ｇ…設置対象個所、
９０…Ｕ字留め具、９１…挿込み棒部、９２…架設棒部、
１００…打込み用具、
２００…打込み治具、２１０…ワーク突き当て部、２２０…ハンマー嵌合部、２２１…摺動部、２２２…貫通部、２２３…ハンマー受け部、２２４…延長壁部、２３０…従側案内嵌合部、
３００…打込みガイド、３０１…ガイド体、３０２…主側案内嵌合部、３０３…連結部、３０３ａ…棒部、３０３ｂ…筒部、３０３ｃ…セットボルト、３０４…ハンドル、
４００…電動ハンマー、４０１…本体部、４０２…ハンマー。
【図１】
2015021350.tif 000003
【図２】
2015021350.tif 000004
【図３】
2015021350.tif 000005